(57)【要約】【課題】  一連のデータを複数の記録媒体にまたがって連続的に記録するリレー記録が可能な情報記録装置及びその制御方法において、記録媒体に無線通信機能付きメモリカードが含まれている場合を考慮したリレー記録を可能とする。【解決手段】  記録可能な記録媒体に、無線通信機能を有するものがあるか判別する（Ｓ５０１）。記録媒体にリレー記録時の記録順序を設定する場合には、無線通信機能を有さない記録媒体を優先して記録順序を設定する。例えば、無線通信機能を有する記録媒体には記録順序を設定せず、無線通信機能を有さない記録媒体に記録順序を設定する（Ｓ５０２）。【選択図】  図４
2012238973.tif 000002
【特許請求の範囲】
【請求項１】
一連のデータを、複数の記録媒体にまたがって連続的に記録するリレー記録が可能な情報記録装置であって、
記録可能な記録媒体のうち、無線通信機能を有する記録媒体を判別する判別手段と、
前記記録可能な記録媒体に対し、リレー記録時の記録順序を設定する設定手段と、
前記設定手段が設定した記録順序に従って記録先の記録媒体を切り替えて前記リレー記録を行う記録手段とを有し、
前記設定手段は、前記記録可能な記録媒体のうち、無線通信機能を有さない記録媒体を優先して前記記録順序を設定する、ことを特徴とする情報記録装置。
【請求項２】
前記設定手段は、前記記録可能な記録媒体のうち、無線通信機能を有する記録媒体に対しては前記記録順序を設定しないことを特徴とする請求項１記載の情報記録装置。
【請求項３】
前記設定手段は、前記記録可能な記録媒体のうち、無線通信機能を有する記録媒体に対しては、ユーザからの指示があった場合に前記記録順序を設定することを特徴とする請求項１記載の情報記録装置。
【請求項４】
前記設定手段は、前記記録可能な記録媒体のうち、無線通信機能を有する記録媒体に対して前記記録順序を設定する場合には、無線通信機能を有さない記録媒体のどれよりも後の記録順序を設定することを特徴とする請求項３記載の情報記録装置。
【請求項５】
前記記録手段は、前記リレー記録が継続しており、前記記録順序に従った次に記録を行う記録媒体が存在しない場合、前記記録可能な記録媒体に前記記録順序が設定されていない記録媒体があるか否か確認し、前記記録順序が設定されていない記録媒体があれば、該記録媒体を用いて前記リレー記録を継続するか否かユーザに問い合わせ、前記ユーザから該記録媒体を用いて前記リレー記録を継続するとの指示があれば、記録先を該記録媒体に切り替えて前記リレー記録を継続することを特徴とする請求項１乃至請求項４のいずれか１項に記載の情報記録装置。
【請求項６】
一連のデータを、複数の記録媒体にまたがって連続的に記録するリレー記録が可能な情報記録装置の制御方法であって、
判別手段が、記録可能な記録媒体のうち、無線通信機能を有する記録媒体を判別する判別工程と、
設定手段が、前記記録可能な記録媒体に対し、リレー記録時の記録順序を設定する設定工程と、
記録手段が、前記設定手段が設定した記録順序に従って記録先の記録媒体を切り替えて前記リレー記録を行う記録工程とを有し、
前記設定手段は前記設定工程において、前記記録可能な記録媒体のうち、無線通信機能を有さない記録媒体を優先して前記記録順序を設定する、ことを特徴とする情報記録装置の制御方法。
【請求項７】
コンピュータを、請求項１乃至請求項５のいずれか１項に記載の情報記録装置の各手段として機能させるためのプログラム。
【発明の詳細な説明】
【技術分野】
【０００１】
本発明は、例えば映像、音声といった情報を記録する情報記録装置及びその制御方法に関し、特に複数の記録媒体を用いた連続的な記録が可能な情報記録装置及びその制御方法に関する。
【背景技術】
【０００２】
近年、複数の記録媒体を利用可能な情報記録装置、例えばディジタルカメラやビデオカメラ等、が知られている。複数の記録媒体としては、例えば、複数の内蔵記録媒体、内蔵の記録媒体と着脱可能な記録媒体、着脱可能な複数の記録媒体などを例示することができる。
【０００３】
このうち、着脱可能な記録媒体として広く用いられているのは半導体メモリカードであり、様々な規格、容量のものが知られている。規格の異なる半導体メモリカードに対応した複数のカードスロットを有する情報記録装置も知られている。
【０００４】
複数の記録媒体を利用可能な情報記録装置に固有の機能として、例えば動画のような一連のデータを複数の記録媒体にまたがって連続的に記録するリレー記録が知られている（特許文献１，２）。
【先行技術文献】
【特許文献】
【０００５】
【特許文献１】特開２００５−１３６７９４号公報
【特許文献２】特開２００７−１７４６９３号公報
【発明の概要】
【発明が解決しようとする課題】
【０００６】
近年、情報記録装置が利用可能な半導体メモリカードのなかには、無線通信機能を有するもの（無線メモリカード）が知られている。しかしながら、装着された複数の記録媒体に無線メモリカードが含まれている場合に、どのようにリレー記録を行うかについては全く検討されていなかった。
【０００７】
本発明はこのような従来技術の課題に鑑みてなされた。すなわち、本発明は、一連のデータを複数の記録媒体にまたがって連続的に記録するリレー記録が可能な情報記録装置及びその制御方法において、記録媒体に無線通信機能付きメモリカードが含まれている場合を考慮したリレー記録を可能とする。
【課題を解決するための手段】
【０００８】
上述の目的は、一連のデータを、複数の記録媒体にまたがって連続的に記録するリレー記録が可能な情報記録装置であって、記録可能な記録媒体のうち、無線通信機能を有する記録媒体を判別する判別手段と、記録可能な記録媒体に対し、リレー記録時の記録順序を設定する設定手段と、設定手段が設定した記録順序に従って記録先の記録媒体を切り替えてリレー記録を行う記録手段とを有し、設定手段は、記録可能な記録媒体のうち、無線通信機能を有さない記録媒体を優先して記録順序を設定する、ことを特徴とする情報記録装置によって達成される。
【発明の効果】
【０００９】
本発明によれば、一連のデータを複数の記録媒体にまたがって連続的に記録するリレー記録が可能な情報記録装置及びその制御方法において、記録媒体に無線通信機能付きメモリカードが含まれている場合を考慮したリレー記録が可能となる。
【図面の簡単な説明】
【００１０】
【図１】本発明の第１の実施形態に係る情報記録装置の一例としてデジタルビデオカメラの構成例を示すブロック図
【図２】リレー記録について説明するための模式図
【図３】本発明の実施形態に係るデジタルビデオカメラにおいてリレー記録を行う場合に用いる管理情報の一例を示す図
【図４】本発明の第１の実施形態に係るデジタルビデオカメラにおける、リレー記録時の記録順序の設定動作を説明するためのフローチャート
【図５】本発明の第１の実施形態に係るデジタルビデオカメラにおける、リレー記録時の記録時の動作を説明するためのフローチャート
【図６】本発明の第２の実施形態に係るデジタルビデオカメラにおける、リレー記録時の記録順序の設定動作を説明するためのフローチャート
【図７】本発明の第２の実施形態に係るデジタルビデオカメラにおける、リレー記録時の記録時の動作を説明するためのフローチャート
【発明を実施するための形態】
【００１１】
（第１の実施形態）
以下、添付図面を参照して、本発明の例示的な実施形態について詳細に説明する。以下の実施形態においては、一連のデータの一例としての動画データを、またリレー記録可能な情報記録装置の一例としてのデジタルビデオカメラを説明する。しかし、本発明における一連のデータは動画データに限定されず、また情報記録装置もデジタルビデオカメラに限定されない。
【００１２】
図１は、本発明の第１の実施形態に係る情報記録装置の一例としてデジタルビデオカメラ１００の構成例を示すブロック図である。レンズユニット２０１は、固定レンズ群、変倍レンズ群、絞り、補正レンズ群（いずれも図示せず）を有する。補正レンズ群は、変倍レンズ群の動きで移動した結像位置を補正する機能と、焦点調節機能とを有する。撮像素子２０４は例えばＣＣＤ(Charge Coupled Device)であり、レンズユニット２０１によって結像面上に結像された被写体像を画素単位の電気信号に変換して撮像信号を生成する。Ａ／Ｄ処理部２０５は、撮像信号に所定の処理を施しデジタル画像データを出力する。なお、レンズユニット２０１、撮像素子２０４、及びＡ／Ｄ処理部２０５はカメラユニット２００を構成する。また、図１には示していないが、カメラユニット２００は、レンズユニット２０１が有する変倍レンズ群、絞りなどを駆動するためのアクチュエータ、手ぶれ補正のためのセンサー（例えば角速度センサー）、光学式手ぶれ補正機構（シフトレンズなど）も有している。
【００１３】
カメラユニット制御部２８１は、主制御部２１０の制御に従いカメラユニット２００の各要素の動作を制御する。また、例えば合焦情報、手ぶれ情報などのカメラユニット２００から得られる情報を主制御部２１０に伝達する。マイクユニット２０９は撮像時に環境音を検出する。マイクユニット２０９には増幅器や帯域制限回路が含まれる。Ａ／Ｄ処理部２１９は、マイクユニット２０９の出力するアナログ音声信号を受けてデジタル音声データを出力する。
【００１４】
主制御部２１０はデジタルビデオカメラ１００の全体を制御する、例えばマイクロコンピュータである。主制御部２１０は、プログラムを格納する不揮発性メモリ（ＲＯＭ）、作業領域となる揮発性メモリ（ＲＡＭ）、他のハードウエアとのデータの受け渡しや制御用レジスタをアクセスするための外部バス、時間を計測するタイマを少なくとも有する。バス２０３は、接続されたブロック間で、主制御部２１０の制御に従ってデータの受け渡しを行うための伝送路である。
【００１５】
エンコーダ部２０２は、主制御部２１０の制御に従い、Ａ／Ｄ処理部２０５及び２１９からのデジタル画像データ及びデジタル音声データを、例えばＭＰＥＧ(Moving Picture Experts Group)２方式で符号化する。エンコーダ部２０２はさらに、ＭＰＥＧ２形式の符号化データを時系列順に多重化して圧縮ビデオデータを生成する。また、エンコーダ部２０２は、例えばデータ位置とフレーム位置の変換に必要となる情報などを主制御部２１０に通知する機能を備えている。
【００１６】
記録回路部２２１は、エンコーダ部２０２、メモリ２０６、メモリカードＡ２２０、メモリカードＢ２２３、内蔵メモリ２２４、及びデコーダ部２０８とのインターフェースを有し、主制御部２１０の制御によってデータの受け渡しを制御する。メモリ２０６は各ブロックが作業用に使用可能な記憶領域である。
【００１７】
記録回路部２２１の機能判別部３０１は、メモリカードＡ２２０、メモリカードＢ２２３（および必要があれば内蔵メモリ２２４）が無線通信機能を有するか否かを、例えばメモリカードごとに付与されるメモリカードＩＤを参照することにより判別する。機能判別部３０１は、例えば、デジタルビデオカメラ１００の電源投入時や、メモリカードの挿抜が行われた際に判別処理を実行する。なお、機能判別部３０１は、内蔵メモリ２２４についても無線通信機能の有無を判別してもよい。この場合、機能判別部３０１は、内蔵メモリ２２４については、メモリカードＩＤを用いずに無線通信機能の有無を判別してもよい。例えば、機能判別部３０１は、デジタルビデオカメラ１００が有する無線通信機能が有効とされているか否かにより、無線通信機能の有無を判別することができる。
【００１８】
無線制御部３０２は、メモリカード内の無線通信機能の制御、具体的にはメモリカード内にある無線送信部の電源制御と、メモリカードに格納された動画データの送信制御を行う。記録媒体切替部３０３は、動画データの記録先の記録媒体を切り替える。記録媒体切替部３０３は、例えば一連のデータを複数の記録媒体にまたがって連続的に記録するリレー記録時には、記録中の記録媒体の記録残量が所定の閾値以下になったら、設定されている記録順序に基づいて記録先の記録媒体を切り替える。
【００１９】
メモリカードＡ２２０及びメモリカードＢ２２３は撮像した動画の記録先として利用可能な記録媒体の一例である。記録回路部２２１は、メモリ２０６、メモリカードＡ２２０、メモリカードＢ２２３、内蔵メモリ２２４、及びバス２０３とのインターフェースを有している。そして、記録回路部２２１は、主制御部２１０等からメモリカードＡ２２０やメモリカードＢ２２３の制御レジスタにアクセスするための変換を行う。
【００２０】
メモリカードＡ２２０、メモリカードＢ２２３、及び内蔵メモリ２２４には、カメラユニット２００で撮像した映像と、マイクユニット２０９で収録した音声を含んだ動画データが記録される。なお、メモリカードＡ２２０、メモリカードＢ２２３、及び内蔵メモリ２２４は、記録回路部２２１と接続可能なインターフェースを有し、自身が有する半導体メモリに対するデータの読み書きを行うための回路を備えている。本実施形態の記録回路部２２１は、所謂ダイレクトメモリアクセス（ＤＭＡ）機能を有する。そのため、メモリ２０６の読み出し先頭アドレスとデータ量、及びメモリカードＡ２２０、メモリカードＢ２２３、内蔵メモリ２２４の書き込み先頭アドレスを記録回路部２２１に指定することにより、データの自動転送が行われる。記録媒体からメモリ２０６への読み出しにおいても同様である。
【００２１】
デコーダ部２０８は、主制御部２１０に指定されたメモリ２０６のアドレスから圧縮ビデオデータや圧縮静止画データを逐次読み出す。デコーダ部２０８は読み出した圧縮ビデオデータや圧縮静止画を、例えばＩＴＵ−Ｒ  ＢＴ．６５６（ＣＣＩＲ６５６）等のデジタル映像信号、及びデジタル音声信号に変換して出力する。デコーダ部２０８は、圧縮静止画データの再生時に必要があれば縮小処理を行う。
【００２２】
映像出力部２１７、音声出力部２０７はデコーダ部２０８によって変換されたデジタル映像信号及びデジタル音声信号を、外部装置に出力するためにそれぞれアナログ信号に変換する。映像出力部２１７、音声出力部２０７には例えばテレビジョン受像機等が接続される。
【００２３】
オンスクリーンディスプレイ（ＯＳＤ）部２１３は、各種設定を行うためのメニュー画面やタイトル、時間などの情報をデコーダ部２０８の出力するデジタル映像信号に重畳させて映像出力部２１７に出力する。またＯＳＤ部２１３は、デコーダ部２０８から入力されるデジタル映像信号をキャプチャーして縮小処理を施し、デジタル映像信号に対応する画像の任意の位置に重畳させる機能も有している。
【００２４】
スイッチ操作部２１２は、ユーザがデジタルビデオカメラ１００を操作するための入力デバイス群であり、入力デバイスはスイッチに限定されない。主制御部２１０は、スイッチ操作部２１２やタッチパネル２１５に対してユーザから与えられた入力の内容を判定し、入力に応じた動作を実行させる。
【００２５】
メモリカードＡ２２０、メモリカードＢ２２３、内蔵メモリ２２４には、予め定められたファイルシステム（データファイルの管理構造）に従ってデータの読み書きが行われる。このようなデータ管理を行うためのソフトウェア（ドライバ）は、主制御部２１０が有している。ＥＥＰＲＯＭ２１１は、書き換え可能なＲＯＭであり、例えばデジタルビデオカメラ１００のファームウェアや設定値などが書き込まれている。
【００２６】
ＥＶＦ(Electronic View Finder)２１４は、デジタルビデオカメラ１００の撮像範囲を確認するための表示装置である。液晶パネル２１６はＥＶＦ２１４より大型の表示装置であり、メニュー画面の表示などに用いられる。なお、液晶パネル２１６をＥＶＦとして機能させることもできる。液晶パネル２１６にはタッチパネル２１５が設けられており、ユーザは液晶パネル２１６に表示されたＧＵＩを指などで直接操作することでメニュー操作や各種指示の入力が可能である。
【００２７】
画面制御部２２２は、タッチパネル２１５からの入力位置を演算し、液晶パネル２１６に表示された画像との関係に基づいて、入力内容を判別する。画面制御部２２２はさらに、液晶パネル２１６に表示させる仮想ボタン（ＧＵＩ）の表示制御も行う。
【００２８】
ここで、リレー記録について図２を参照して説明する。図２（ａ）は、リレー記録に用いる記録媒体の順序が、内蔵メモリ２２４→スロット１（メモリカードＡ２２０）→スロット２（メモリカードＢ２２３）の順に設定されている場合を示している。内蔵メモリ２２４を記録先として記録を開始し、記録可能容量が閾値以下となったら（例えば閾値が０であれば、記録可能容量がなくなったら）、記録先の記録媒体を内蔵メモリ２２４からメモリカードＡ２２０に切り替えて記録を継続する。メモリカードＡ２２０の記録可能容量が閾値以下となったら、記録先の記録媒体をメモリカードＡ２２０からメモリカードＢ２２３に切り替えて記録を継続する。
【００２９】
メモリカードＡ２２０及びメモリカードＢ２２３のいずれも無線通信機能を有さない場合、図２（ａ）に示すような順序で記録先を変更しながらリレー記録しても特に問題は生じない。しかしながら、例えばメモリカードＡ２２０が無線通信機能を有する場合には、問題が生じる。この問題について、図２（ｂ）を参照して説明する。メモリカードＡ２２０が無線通信機能付きのメモリカードであった場合に図２（ａ）と同様のリレー記録が行われた場合を図２（ｂ）に示す。この場合、リレー記録そのものには特に問題は生じない。しかし、少なくともメモリカードＡ２２０に対する記録の終了後、メモリカードＡ２２０が無線ネットワークと通信可能になると、メモリカードＡ２２０は記録されたデータを予め設定された転送先（ユーザのＰＣやネットワーク上のサーバなど）に自動転送する。つまり、リレー記録された一連のコンテンツのうち、メモリカードＡ２２０に記録された区間のみが、サーバに無線転送されてしまう。従来、このような問題についての対処方法は全く検討されていなかった。
【００３０】
図３は、本実施形態のデジタルビデオカメラ１００において、メモリカードＡ２２０からメモリカードＢ２２３の順にリレー記録を行う場合に、各メモリカードに記録する管理情報の一例を示す。
【００３１】
コンテンツ管理情報４０１はメモリカードＡ２２０に記録され、コンテンツ管理情報４０２はメモリカードＢ２２３に記録される。メモリカードコンテンツＩＤ、記録日時、開始位置、記録時間、容量等の項目は、各メモリカードに記録されたデータに関する情報である。また、リレーＩＤはこのコンテンツＩＤのコンテンツが次の記録先に引き続いて記録されているかどうかを示す情報である。リレー記録されていない場合（すなわち、メモリカードＡ２２０で記録が完結している場合）には例えば”０”が、リレー記録されている場合には、続きが記録されている記録媒体とコンテンツＩＤを特定する情報が含まれる。記録媒体を特定する情報としては、例えばメモリカードＩＤなどの固有情報であってよい。主制御部２１０は、コンテンツデータファイルを記録媒体に記録するごとに、そのコンテンツについてのコンテンツ管理情報を生成し、コンテンツデータファイルが記録されている記録媒体に記録する。
【００３２】
主制御部２１０は、メモリカードＡ２２０からメモリカードＢ２２３にコンテンツをリレー記録する場合、まず、メモリカードＡ２２０のコンテンツ管理情報４０１のリレーＩＤに、次の記録先であるメモリカードＢ２２３のメモリカードＩＤを記録する。次に主制御部２１０は、同一コンテンツに係るデータをメモリカードＢ２２３に記録し始めるとともに、コンテンツ管理情報４０２を生成する。そして、主制御部２１０は、コンテンツ管理情報４０２のコンテンツＩＤを、メモリカードＡ２２０のコンテンツ管理情報４０１のリレーＩＤに追加する。これにより、コンテンツ管理情報４０１のリレーＩＤには、リレー記録先であるメモリカードＢ２２３のメモリカードＩＤと、メモリカードＢ２２３に記録されたコンテンツＩＤとが記録される。
【００３３】
図４のフローチャートを用いて、本実施形態のデジタルビデオカメラ１００における、リレー記録時の記録順序の設定動作を説明する。この動作は、例えば、リレー記録モードが設定された際や、リレー記録モードが設定されている状態でメモリカードの挿抜が行われた際に実行される。
【００３４】
Ｓ５０１で主制御部２１０は、デジタルビデオカメラ１００に装着されている記録媒体（本実施形態ではメモリカードＡ２２０及びメモリカードＢ２２３）のうち、無線通信機能を有するものがあるか判別する。具体的には、主制御部２１０は記録回路部２２１の機能判別部３０１が判別した結果を取得する。上述のように、機能判別部３０１は例えばメモリカードＩＤを参照することによりメモリカードの無線通信機能の有無を判別することができる。
【００３５】
Ｓ５０１で、主制御部２１０は、何れの記録媒体（メモリカードＡ２２０、メモリカードＢ２２３、内蔵メモリ２２４）も無線通信機能を有していなければ処理をＳ５０３に、無線通信機能を有する記録媒体があれば処理をＳ５０２に進める。
【００３６】
Ｓ５０２で主制御部２１０は、無線通信機能を有さない記録媒体だけで、リレー記録順を設定する。例えば、主制御部２１０は、無線通信機能を有さない記録媒体で、記録可能容量が多いものからリレー記録を行うように順序を設定する。無線通信機能を有する記録媒体は、リレー記録の記録対象には含めない。あるいは、例えば液晶パネル２１６に無線通信機能を有さない記録媒体を表示して、ユーザにリレー記録の順序を設定させるようにしてもよい。
【００３７】
Ｓ５０３で主制御部は、例えばユーザ設定に従ってリレー記録の順序を設定する。あるいは、主制御部２１０は、ユーザから明示的な順序の指定がない場合には、記録可能容量が多いものからリレー記録を行うように順序を設定するなど、予め定められた方法で記録順序を設定してもよい。
【００３８】
次に図５のフローチャートを用いて、本実施形態のデジタルビデオカメラ１００におけるリレー記録時の動作を説明する。なお、ここでは、デジタルビデオカメラ１００が記録スタンバイ状態にあるものとする。記録スタンバイ状態では、カメラユニット２００が連続的にプレビュー用の撮像を行い、ＥＶＦ２１４や液晶パネル２１６がビューファインダとして機能している。
【００３９】
Ｓ６０１で主制御部２１０は、リレー記録モードが設定されているか否かを、例えばＥＥＰＲＯＭ２１１を参照することにより判定する。リレー記録の設定がされていない場合、主制御部２１０はＳ６０７で、スイッチ操作部２１２に含まれる記録開始キーやタッチパネル２１５の操作によって、記録開始が指示されたかどうか判別する。
【００４０】
記録開始指示を検出すると、主制御部２１０は、Ｓ６０８で記録処理を開始する。記録処理では、カメラユニット２００により撮像された画像を、エンコーダ部２０２、記録回路部２２１を通じて記録媒体に記録する。ここで記録を行う記録媒体は、メモリカードＡ２２０、メモリカードＢ２２３、内蔵メモリ２２４のうち、予め設定された記録媒体（例えば直前に記録が行われた記録媒体）である。
【００４１】
記録先の記録媒体が無線通信機能を有する場合、無線制御部３０２はその記録媒体の有する無線送信部の電源をオンにし、無線送信を許可する。図示しない無線送信部は、予め設定された無線通信ネットワークと通信可能になると、記録されたデータの無線転送を開始する。
【００４２】
Ｓ６１０で主制御部２１０は、スイッチ操作部２１２に含まれる記録終了キーやタッチパネル２１５の操作によって、記録終了が指示されたかどうか判別する。記録終了指示を検出すると、主制御部２１０は記録処理を終了する。
【００４３】
一方、Ｓ６０１で、リレー記録モードが設定されている場合、Ｓ６０２で主制御部２１０は、スイッチ操作部２１２に含まれる記録開始キーやタッチパネル２１５の操作によって、記録開始が指示されたかどうか判別する。
【００４４】
記録開始指示を検出すると、主制御部２１０はＳ６０９で記録処理を開始する。ここで最初の記録先となる記録媒体は、上述の通り、無線通信機能を有さない記録媒体のうち、記録可能容量が最大の記録媒体である。記録処理の開始時に主制御部２１０はコンテンツ管理情報（図３）を生成し、記録媒体（あるいは、メモリ２０６）に書き込む。
【００４５】
Ｓ６０３で主制御部２１０は、記録中の記録媒体の記録可能容量（記録可能時間や空き容量でもよい）が、所定の閾値以上であるか否かを判定する。記録中の記録媒体の記録可能容量が所定の閾値以上の場合、Ｓ６０４で主制御部２１０は、スイッチ操作部２１２に含まれる記録終了キーやタッチパネル２１５の操作によって、記録終了が指示されたかどうか判別する。記録終了指示を検出すると、主制御部２１０は記録処理を終了する。
【００４６】
Ｓ６０３で、記録中の記録媒体の記録可能容量が所定の閾値未満であれば、主制御部２１０はＳ６０５で次の記録媒体が設定されているか否かを判定する。次の記録順序が設定された記録媒体が存在し、かつその記録媒体が装着されている場合、主制御部２１０は次の記録媒体が設定されていると判定し、処理をＳ６１１へ進める。主制御部２１０はＳ６１１で記録媒体切替部３０３によって記録先の記録媒体を次の記録順序が設定された記録媒体に切り替えて記録を継続し、処理をＳ６０４に戻す。
【００４７】
一方、Ｓ６０５で、次の記録順序が設定された記録媒体が存在しない場合や、次の記録順序が設定された記録媒体が装着されていない場合、主制御部２１０は記録処理を終了し、処理をＳ６０６に進める。
【００４８】
Ｓ６０６で主制御部２１０は、関連付け処理を行う。関連付け処理は、図３を用いて上述したコンテンツ管理情報４０１，４０２の更新処理である。記録時間や容量、リレーＩＤなどが記録終了時に更新される。コンテンツ管理情報４０１，４０２をメモリ２０６に書き込んでいる場合には、更新したコンテンツ管理情報４０１を記録媒体に書き込む。
【００４９】
以上のように、本実施形態では、複数の記録媒体に対してリレー記録を行う場合、無線通信機能を有さない記録媒体のみを用いる。これにより、リレー記録された同一コンテンツのうち、無線通信機能を有する記録媒体に記録された部分だけが転送されてしまうことを防止できる。
【００５０】
（第２の実施形態）
次に、本発明の第２の実施形態に係る情報記録装置におけるリレー記録動作について説明する。なお、本実施形態に係る情報記録装置は、リレー記録動作の内容以外、第１の実施形態と共通であってよいため、第１の実施形態で説明したデジタルビデオカメラ１００で実行するものとして説明する。
【００５１】
まず、図６に示すフローチャートを参照して、本実施形態のデジタルビデオカメラ１００におけるリレー記録時の記録順序を設定動作を説明する。図６において、図４と同じ工程については同じ参照数字を付してある。
【００５２】
Ｓ５０１で主制御部２１０は、デジタルビデオカメラ１００に装着されている記録媒体（本実施形態ではメモリカードＡ２２０及びメモリカードＢ２２３）のうち、無線通信機能を有するものがあるか判別する。主制御部２１０は、何れの記録媒体（メモリカードＡ２２０、メモリカードＢ２２３、内蔵メモリ２２４）も無線通信機能を有していなければ処理をＳ５０３に、無線通信機能を有する記録媒体があれば処理をＳ７０２に進める。
【００５３】
Ｓ５０３で主制御部は、例えばユーザ設定に従ってリレー記録の順序を設定する。あるいは、主制御部２１０は、ユーザから明示的な順序の指定がない場合には、記録可能容量が多いものからリレー記録を行うように順序を設定するなど、予め定められた方法で記録順序を設定してもよい。
【００５４】
Ｓ７０２で主制御部２１０は、全ての記録媒体が無線通信機能を有するか否かを判断し、無線通信機能を有さない記録媒体がある場合には処理をＳ５０２へ、全ての記録媒体が無線通信機能を有する場合には処理をＳ７０５へ進める。
【００５５】
Ｓ５０２で主制御部２１０は、無線通信機能を有さない記録媒体だけで、リレー記録順を設定する。例えば、主制御部２１０は、無線通信機能を有さない記録媒体で、記録可能容量が多いものからリレー記録を行うように順序を設定する。無線通信機能を有する記録媒体は、リレー記録の記録対象には含めない。あるいは、例えば液晶パネル２１６に無線通信機能を有さない記録媒体を表示して、ユーザにリレー記録の順序を設定させるようにしてもよい。無線通信機能を有さない記録媒体に対する記録順序を設定すると、主制御部２１０は処理をＳ７０５に進める。
【００５６】
Ｓ７０５で主制御部２１０は、例えば液晶パネル２１６に問い合わせメッセージ及びＧＵＩボタンを表示することにより、無線通信機能を有する記録媒体にリレー記録するか否かをユーザに問い合わせる。ユーザは、タッチパネル２１５を操作してＧＵＩボタンを押下することにより、無線通信機能を有する記録媒体をリレー記録に用いるかどうかを指示することができる。なお、問い合わせ方法やユーザからの指示入力方法は他のいかなる方法を用いてもよい。
【００５７】
Ｓ７０５で、無線通信機能を有する記録媒体にはリレー記録しないとの指示が入力された場合、主制御部２１０は処理を終了する。この場合、Ｓ５０２で設定したように、無線通信機能を有さない記録媒体だけでリレー記録が行われる。
【００５８】
一方、Ｓ７０５で、無線通信機能を有する記録媒体にリレー記録するとの指示が入力された場合、主制御部２１０は、Ｓ７０６で無線通信機能を有する記録媒体に対するリレー記録の記録順序を設定する。Ｓ５０２で無線通信機能を有さない記録媒体について記録順序が設定されている場合、主制御部２１０は、無線通信機能を有さない記録媒体のどれよりも後の記録順序を設定する。これにより、無線通信機能を有さない全ての（記録順序が設定された）記録媒体への記録が終わってから、無線通信機能を有する記録媒体にリレー記録が行われる。以上のように、無線通信機能を有する記録媒体にリレー記録を行う設定がなされても、無線通信機能を有さない記録媒体を優先してリレー記録時の記録順序を設定する。
【００５９】
次に、図７のフローチャートを用いて、本実施形態のデジタルビデオカメラ１００におけるリレー記録時の動作を説明する。図７において、図５と同様の工程については同じ参照数字を付して説明を省略する。
【００６０】
Ｓ６０５で主制御部２１０は、リレー記録用に次の記録媒体が設定されているか否かを判定する。次の記録順序が設定された記録媒体が存在し、かつその記録媒体が装着されている場合、主制御部２１０は次の記録媒体が設定されていると判定し、処理をＳ６１１に進める。主制御部２１０はＳ６１１で記録媒体切替部３０３によって記録先の記録媒体を次の記録順序が設定された記録媒体に切り替えて記録を継続し、処理をＳ６０４に戻す。なお、無線通信機能を有する記録媒体に記録順序が設定されている場合、記録順序が設定された無線通信機能を有さない記録媒体の記録可能容量が全て所定閾値を下回ると、無線通信機能を有する記録媒体へのリレー記録が開始される。
【００６１】
なお、無線通信機能を有する記録媒体に記録順序が設定されている場合であっても、無線通信機能を有する記録媒体に切り替えが行われる場合に記録を継続するかユーザに確認するように構成することもできる。この場合、無線通信機能を有する記録媒体に切り替わる直前に記録が行われている、無線通信機能を有さない記録媒体への記録が終了する前に確認を完了できるよう、確認用メッセージの表示タイミングを設定する。
【００６２】
また、Ｓ６０３からＳ６１１での切り替えまでのタイムラグによって記録が中断しないよう、Ｓ６１１での記録媒体の切り替えは、記録中の記録媒体の記録可能容量が上述した所定の閾値より少ない切り替え用の閾値に達した際に行うように構成してもよい。あるいは、Ｓ６０５における次の記録媒体の存在を確認する処理を、記録中の記録媒体の記録可能容量が所定の閾値以上である適当なタイミングで実行しておき、記録中の記録媒体の記録可能容量が所定の閾値に達した時点で記録媒体を切り替えるようにしてもよい。
【００６３】
一方、Ｓ６０５で、次の記録順序が設定された記録媒体が存在しない場合や、次の記録順序が設定された記録媒体が装着されていない場合、主制御部２１０は処理をＳ８１１に進める。
【００６４】
Ｓ８１１で主制御部２１０は、デジタルビデオカメラ１００が内蔵する記録媒体、あるいは装着された記録媒体のうち、無線通信機能を有する記録媒体に、記録可能容量が所定の閾値以上のものがないか確認する。無線通信機能を有する記録媒体に、記録可能容量が所定の閾値以上のものがなければ、主制御部２１０は記録を終了し、処理をＳ６０６に移す。
【００６５】
無線通信機能を有する記録媒体に、記録可能容量が所定の閾値以上のものがあれば、主制御部２１０はＳ８１３で、ユーザに、その記録媒体を用いてリレー記録を継続して行うか否かを問い合わせる。なお、Ｓ８１３が実行されるのは、リレー記録順序設定時に、無線通信機能を有する記録媒体を記録対象に設定しなかった場合である。
【００６６】
問い合わせは例えば液晶パネル２１６上に”無線通信機能を備える記録媒体を用いて記録を継続しますか？”又は”動画の一部分のみ無線転送される可能性がありますが、記録を継続しますか？”等のメッセージと、指示入力用のＧＵＩを表示して行う。スイッチ操作部２１２又はタッチパネル２１５を通じ、ユーザから、無線通信機能を有する記録媒体に記録を継続する指示が入力されると、主制御部２１０は、Ｓ６１１で記録媒体切替部３０３によって記録先の記録媒体を切り替えて記録を継続する。
【００６７】
なお、第１の実施形態においても説明したように、Ｓ６０３からＳ６１１での切り替えまでのタイムラグによって記録が中断しないよう、Ｓ６０５，Ｓ８１１，Ｓ８１３の実行タイミングを考慮する。特に、ユーザによる判断を待つＳ８１３は、記録中の記録媒体の記録可能容量が所定の閾値より十分多い時点で実行されるようにする。また、制限時間内にユーザから指示の入力がない場合には、無線通信機能を有する記録媒体は用いないという入力がなされたものとして取り扱うこともできる。
Ｓ６０６で主制御部２１０は、上述した関連付け処理を行い、記録処理を終了する。
【００６８】
以上説明したように、本実施形態では、ユーザの明示的な指示がある場合には、無線通信機能を有する記録媒体もリレー記録に用いることができるようにした。このことにより、動画の一部が無線転送される可能性があるものの、より長時間の動画記録が可能となる。この際、無線通信機能を有する記録媒体をリレー記録に用いる場合でも、無線通信機能を有さない記録媒体から順に記録するように記録順序を設定するので、リレー記録された動画の一部が無線転送される可能性を低くすることができる。また、無線通信機能を有する記録媒体をリレー記録に用いることをユーザに決定させることで、リレー記録される動画の一部が無線転送されうることをユーザに事前に認識させることができ、ユーザが意図しない無線転送の発生を防止することができる。
【００６９】
（その他の実施形態）
なお、第２の実施形態では、記録順序の設定時に記録可能容量が所定の閾値以上である、無線通信機能を有さない記録媒体については、その全てに記録順序が設定されることを前提としていた。従って、Ｓ８１１においては、記録順序が設定されていない無線通信機能を有する記録媒体について、記録可能容量が所定の閾値以上のものがあるか調べていた。しかし、記録順序の設定処理において、特定の（例えばユーザが選択した）記録媒体にのみ記録順序を設定していた場合には、Ｓ８１１においては無線通信機能の有無にかかわらず、記録可能容量が所定の閾値以上の記録媒体があるかどうか確認する。そして、Ｓ８１３において、記録順序が設定されていなかった、記録可能容量が所定の閾値以上の記録媒体に対してリレー記録を継続するかどうかユーザに問い合わせる。そして、ユーザから、この記録媒体を用いてリレー記録を継続するとの指示があれば、当該記録媒体に切り替えてリレー記録を継続する。
【００７０】
Ｓ８１１で記録可能容量が所定の閾値以上の記録媒体が複数見つかった場合、Ｓ８１３ではリレー記録に用いる記録媒体をユーザに選択させてもよい。また、複数の記録媒体に、無線通信機能を有するものと有さないものが含まれる場合には、無線通信機能を有さない記録媒体から記録順序を設定するようにするか、ユーザに記録順序を選択させるようにすることができる。
【００７１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012238973.tif 000003
【図２】
2012238973.tif 000004
【図３】
2012238973.tif 000005
【図４】
2012238973.tif 000006
【図５】
2012238973.tif 000007
【図６】
2012238973.tif 000008
【図７】
2012238973.tif 000009